(57)【要約】      （修正有）【課題】レンチキュラー印刷物の高い意匠性を生かし、しかも実用性がある布製品を提供する。【解決手段】布製品１は、布により形成された本体部２と、本体部に接着された印刷シート３を有し、印刷シート３は、塩化ビニールのシート基材と、シート基材上に設けられたレンチキュラー印刷面を有し、本体部と印刷シートの間にはホットメルト接着による接着面が形成されていて、立体感のある図柄が表された印刷シートが本体部に一体に取り付けられている。【選択図】図１
0003207536.tif 000002
【実用新案登録請求の範囲】
【請求項１】
布により形成された本体部と、本体部に接着された印刷シートを有し、印刷シートは、塩化ビニールのシート基材と、シート基材上に設けられたレンチキュラー印刷面を有し、本体部と印刷シートの間にはホットメルト接着による接着面が形成されている布製品。
【請求項２】
編み編成を有する布により形成された本体部と、本体部に接着された印刷シートを有し、印刷シートは、塩化ビニールのシート基材と、シート基材上に設けられたレンチキュラー印刷面を有し、本体部と印刷シートの間にはホットメルト接着による接着面が形成されている衣料品。
【請求項３】
織物である布により形成された本体部と、本体部に接着された印刷シートを有し、印刷シートは、塩化ビニールのシート基材と、シート基材上に設けられたレンチキュラー印刷面を有し、本体部と印刷シートの間にはホットメルト接着による接着面が形成されている手提げ袋。
【考案の詳細な説明】
【技術分野】
【０００１】
この考案は、精密な図柄が表現された布製品に関する。
【背景技術】
【０００２】
特許文献１などには、複数の画像をそれぞれ多数の線状帯に分け、これら異なる画像の線状帯を順次に並べて一枚に印刷し、その上に線状帯のピッチと方向に合わせた筋状の微細レンズの集合体からなるレンチキュラースクリーンを張つけ、レンチキュラースクリーンのレンズ作用により異なる複数の画像を重ね合わせ、画面に立体感を出したり、画面を傾けることにより画像の変化を与えることが記載されている。これらのレンチキュラー印刷物は、通常の使用においてはほとんど変形しないような固いシート状である。
【先行技術文献】
【特許文献】
【０００３】
【特許文献１】特開平８−２３４３３５号公報
【考案の概要】
【考案が解決しようとする課題】
【０００４】
特許文献１に示すような従来のレンチキュラー印刷物は、ほとんど変形しない固いシート状であり、また、それ自体が単体の製品として使用されている。したがって、実用性のない純粋な鑑賞用がほとんどであり、それ以外の用途としても絵葉書や名刺など限られた利用形態になっている。レンチキュラー印刷物は通常の印刷物にはない立体的な感じや変化に富む高い意匠性を有するが、実用性の乏しい従来の用途であれば、利用者が持ち歩く機会も少なく、その美しい図柄を鑑賞する機会は少ない。
【０００５】
この考案はレンチキュラー印刷物の高い意匠性を生かし、しかも実用性がある布製品を提供することを目的とする。
【課題を解決するための手段】
【０００６】
上述の課題を解決するため、この考案の布製品は、布により形成された本体部と、本体部に接着された印刷シートを有し、印刷シートは、塩化ビニールのシート基材と、シート基材上に設けられたレンチキュラー印刷面を有し、本体部と印刷シートの間にはホットメルト接着による接着面が形成されている。布製品としては、丸編み編成を有する布により形成された本体部を備えた衣料品としてもよく、織物である布により形成された本体部を備えた手提げ袋でもよい。
【考案の効果】
【０００７】
この考案の布製品はレンチキュラー印刷面を有する印刷シートが取り付けられており、布製品としての実用性を持ちながらもこれまでの布製品にはない高い意匠性を有する。
【図面の簡単な説明】
【０００８】
【図１】衣料品の例を示す正面図である。
【図２】印刷シートの印刷面を模式的に示す平面図である。
【図３】印刷シートの印刷面を模式的に示す断面図である。
【図４】手提げ袋の例を示す正面図である。
【考案を実施するための形態】
【０００９】
この考案を実施するための形態について図面に基づいて説明する。図１は衣料品の例を示す正面図である。この考案の布製品１は、布により形成された本体部２と、本体部２に接着された印刷シート３を有する。この考案は布製品全般に対して広く適用することができ、たとえばタオルやハンカチのような布製身の回り品や、衣料品、手提げ袋や布製かばんなどが適している。ここでは、Ｔシャツに適用した例で説明する。本体部２は通常のＴシャツの形状であり、素材となる布は編み編成を有する。
【００１０】
印刷シート３は柔軟性のある薄い塩化ビニールのシート基材６を有し、シート基材上にレンチキュラー印刷面が設けられている。レンチキュラー印刷面について説明する。レンチキュラー印刷自体はすでに普及しているので、本願考案の理解に必要な説明を行う。図２は印刷シートの印刷面を模式的に示す平面図であり、図３は印刷シートの印刷面を模式的に示す断面図である。
【００１１】
本例では３種類の図柄に変化して見える印刷で説明する。印刷シート３のシート基材６は柔軟な薄い塩化ビニールのシートであり、その表面に図２に示すような印刷が施されている。印刷帯ａ、印刷帯ｂ、印刷帯ｃの細長い印刷帯が順次繰り返すように配置されている。それぞれの印刷帯の集まりだけで独立した１つの図柄が表現される。そして、印刷帯ａ、印刷帯ｂ、印刷帯ｃのそれぞれによって表現されるのは異なる図柄である。
【００１２】
印刷の上にはレンチキュラーレンズと呼ばれる筋状の光学素子５が設けられている。光学素子の筋の方向は印刷帯の長さ方向に沿っている。筋に対して垂直な方向に沿って周期的な繰り返しになっており、印刷帯ａ、印刷帯ｂ、印刷帯ｃの１組の上に一周期分の光学素子５が配置される。この断面は曲線状のレンズでもよく、また、プリズム状でもよく、印刷帯ａ、印刷帯ｂ、印刷帯ｃからの光束をそれぞれ異なる方向に導くものであればよい。この光学素子６を通して観察することにより、例えばＡ方向から観察するときは印刷帯ａのみを見ることができ、Ｂ方向またはＣ方向からではそれぞれ印刷帯ｂまたは印刷帯ｃのみを見ることができる。したがって、印刷シート３を異なる角度から見ることによって、３種類の異なる図柄が観察される。
【００１３】
本例では３つの印刷帯に分割しているが、分割数を増やし、それに応じた光学素子５を設けることにより４以上の異なる柄も表現できる。
【００１４】
この複数の柄によって一連の動きを表現することができる。あるいは、焦点位置が疑似的に異なって見えるような画像の組合せにしてもよく、それらの画像の組合せによって凹凸感や立体感のある図柄を表現することもできる。
【００１５】
この考案の布製品は、レンチキュラー印刷を施された印刷シート３を備えることにより、これまでの布製品とは全く異なる新しい外観を有する。印刷シート３の大きさや形状は任意であり、図１に示すようにＴシャツのワンポイント的な装飾になるような比較的小さいシートを胸部に目立つように取り付けてもよく、あるいは背部に大きなシートを設けてもよく、通常のＴシャツが装飾として図柄を表現するような任意の位置に設けることができる。
【００１６】
ここで、印刷シート３は本体部２の表面にホットメルト接着剤によって接着されている。印刷シート３の基材の裏面にホットメルト接着剤を塗布し、これを本体部２の所定の取り付け位置に置き、上に当て布をして７０℃程度かそれよりも若干低い温度の加熱体を当て、３０秒以内の接触時間で加熱することにより、取り付けることができる。これによって、レンチキュラー印刷面や本体部を損傷することなく、しかも強固に貼り付けることができる。こうして、本体部と印刷シートの間にはホットメルト接着による接着面が形成される。
【００１７】
ワッペンなどを縫製によって取り付ける場合は、周辺では縫製部ができるので端まで図柄を表すことができない上に、縫製部が分厚く盛り上がってしまい、本体部との一体感がなくごつごつした感じになる。本考案では、ホットメルト接着により取り付けることで、印刷シートの全体に図柄を表現することができる。周辺部にも凹凸が形成されないのでフラットで美しく、本体部と一体になったように感じられる。薄く柔軟な塩化ビニールのシート基材が用いられているので、布本体部の変形に対しても追随し、はがれにくい。
【００１８】
図４は手提げ袋の例を示す正面図である。トートバッグと呼ばれる買い物用の手提げ袋の例である。手提げ袋１０の本体部２は織物である丈夫な布により形成されている。この本体部２の目立つ位置に印刷シート３をホットメルト接着剤で貼り付けている。
【００１９】
印刷シート３のレンチキュラー印刷により立体感のある図柄が表現され、これまでの買い物袋にはない高い意匠性を有する。
【００２０】
以上、Ｔシャツやトートバッグを例に本考案の実施形態を説明してきた。本考案で使用されるレンチキュラー印刷は、少数であっても廉価で実施することができ、しかも図柄が決まれば短期間で行える。したがって、開催時期が迫ったイベントのための特注のＴシャツやトートバッグにも簡単に対応できる。規模に応じて製造数も自由に選択でき、さらに、多種類のものを少数ずつ製造することもできる。
【００２１】
印刷シート３を変えれば、異なる図柄の布製品が簡単に作れる。しかも、ホットメルト接着により取り付けられているため、本体部２に直接印刷されたような一体感のある布製品が得られる。
【符号の説明】
【００２２】
１．布製品（Ｔシャツ）
２．本体部
３．印刷シート
４．レンチキュラー印刷面
５．光学素子
【図１】
0003207536.tif 000003
【図２】
0003207536.tif 000004
【図３】
0003207536.tif 000005
【図４】
0003207536.tif 000006